(57)【要約】【課題】ユーザーが、新たに記録された最新番組を容易に確認でき、自身が認知していない最新番組を容易に識別することができる手法を提供する。【解決手段】放送番組記録再生装置１００において、放送番組録画部１０３は、放送受信部１０１が受信する放送番組を記録するとともに、当該放送番組に関する付加情報を生成し記録する。番組選別部１０６は、放送番組録画部１０３が記録する付加情報に基づいて、放送番組録画部１０３が記録する放送番組から、任意の指定期間内に記録された最新番組を選別する。番組認知判定部１０８は、最新番組がユーザーに認知されているか否かを判定する。一覧画面生成部１０７は、最新番組の一覧を表示する一覧画面４０１において、番組認知判定部１０８においてユーザーに認知されていると判定される最新番組と、番組認知判定部１０８においてユーザーに認知されていないと判定される最新番組との表示の態様を異ならせる。【選択図】図１
2018191200.tif 000002
【特許請求の範囲】
【請求項１】
放送番組を受信する放送受信部と、
前記放送受信部が受信する前記放送番組を記録するとともに、記録する前記放送番組に関する付加情報を生成し記録する、放送番組録画部と、
前記放送番組録画部が記録する前記付加情報に基づいて、前記放送番組録画部が記録する前記放送番組から、任意の指定期間内に記録された最新番組を選別する番組選別部と、
前記番組選別部によって選別された前記最新番組がユーザーに認知されているか否かを判定する番組認知判定部と、
表示装置に表示される画面であって、前記番組選別部によって選別された前記最新番組の一覧を表示する一覧画面を生成する、一覧画面生成部と
を備え、
前記一覧画面生成部は、前記一覧画面において、前記番組認知判定部において前記ユーザーに認知されていると判定される前記最新番組と、前記番組認知判定部において前記ユーザーに認知されていないと判定される前記最新番組との表示の態様を異ならせる、放送番組記録再生装置。
【請求項２】
請求項１に記載の放送番組記録再生装置であって、
前記番組認知判定部は、前記番組選別部によって選別された前記最新番組が前記ユーザーに認知されているか否かの判定結果を、前記放送番組録画部が記録する前記付加情報に付与し、
前記一覧画面生成部は、前記番組認知判定部が前記付加情報に付与する前記判定結果に基づいて、前記表示の態様を異ならせる、放送番組記録再生装置。
【請求項３】
請求項１または請求項２に記載の放送番組記録再生装置であって、
前記一覧画面生成部が生成する前記一覧画面において、前記番組認知判定部において前記ユーザーに認知されていないと判定される前記最新番組にアイコンを付与するアイコン付与部を備え、
前記一覧画面生成部は、前記アイコン付与部が付与する前記アイコンによって、前記表示の態様を異ならせる、放送番組記録再生装置。
【請求項４】
請求項３に記載の放送番組記録再生装置であって、
前記アイコン付与部は、前記一覧画面生成部が生成する前記一覧画面において、前記番組認知判定部において前記ユーザーに認知されていないと判定される前記最新番組に前記アイコンを付与した後、当該最新番組が前記番組認知判定部において前記ユーザーに認知されていると判定される場合には、当該アイコンを削除する、放送番組記録再生装置。
【請求項５】
請求項１から請求項４のいずれか一項に記載の放送番組記録再生装置であって、
前記ユーザーの操作を検出する操作検出部を備え、
前記番組認知判定部は、前記操作検出部が検出する前記ユーザーの操作に基づいて、前記選別部によって選別された前記最新番組が前記ユーザーに認知されているか否かを判定する、放送番組記録再生装置。
【請求項６】
請求項１から請求項５のいずれか一項に記載の放送番組記録再生装置であって、
前記番組認知判定部は、前記放送番組記録再生装置が前記表示装置に前記一覧画面を表示するタイミング、および前記放送番組記録再生装置が前記表示装置に前記一覧画面を表示しなくなるタイミングにおいて、前記選別部によって選別された前記最新番組が前記ユーザーに認知されているか否かを判定する、放送番組記録再生装置。
【請求項７】
請求項１から請求項６のいずれか一項に記載の放送番組記録再生装置であって、
前記番組認知判定部は、前記放送番組記録再生装置が前記表示装置に前記一覧画面を表示した後、当該一覧画面を表示しなくなった場合に、当該一覧画面に表示されていた前記最新番組が前記ユーザーに認知されたと判定する、放送番組記録再生装置。
【請求項８】
請求項１から請求項７のいずれか一項に記載の放送番組記録再生装置であって、
前記番組選別部によって選別された前記最新番組を再生する放送番組再生部を備え、
前記番組認知判定部は、前記放送番組再生部が再生した前記最新番組が前記ユーザーに認知されたと判定する、放送番組記録再生装置。
【請求項９】
請求項１から請求項８のいずれか一項に記載の放送番組記録再生装置であって、
前記表示装置に表示される画面であって、前記一覧画面を起動するための一覧起動アイコンを表示する一覧起動画面を生成する、一覧起動画面生成部と、
前記番組認知判定部において前記ユーザーに認知されていないと判定される前記最新番組を計数する番組計数部と、
前記番組計数部によって計数された前記最新番組の数を前記一覧起動画面に付与する番組数付与部と
を備える、放送番組記録再生装置。
【請求項１０】
請求項９に記載の放送番組記録再生装置であって、
前記一覧起動画面生成部は、前記番組数付与部が付与する前記最新番組の数が、前記一覧起動アイコンに重畳された前記一覧起動画面を生成する、放送番組記録再生装置。
【請求項１１】
放送番組記録再生装置の制御方法であって、
（ａ）放送番組を受信する工程と、
（ｂ）前記工程（ａ）において受信される前記放送番組を記録するとともに、記録する前記放送番組に関する付加情報を生成し記録する工程と、
（ｃ）前記工程（ｂ）において記録される前記付加情報に基づいて、前記工程（ｂ）において記録される前記放送番組から、任意の指定期間内に記録された最新番組を選別する工程と、
（ｄ）前記工程（ｃ）において選別された前記最新番組がユーザーに認知されているか否かを判定する工程と、
（ｅ）表示装置に表示される画面であって、前記工程（ｃ）において選別された前記最新番組の一覧を表示する一覧画面を生成する工程と
を備え、
前記工程（ｅ）において生成される前記一覧画面において、前記工程（ｄ）において前記ユーザーに認知されていると判定される前記最新番組と、前記工程（ｄ）において前記ユーザーに認知されていないと判定される前記最新番組との表示の態様を異ならせる、放送番組記録再生装置の制御方法。
【請求項１２】
請求項１１に記載の放送番組記録再生装置の制御方法であって、
（ｆ）前記工程（ｄ）における判定結果を、前記工程（ｂ）において記録される前記付加情報に付与する工程を備え、
前記工程（ｅ）において生成される前記一覧画面において、前記工程（ｆ）において前記付加情報に付与される前記判定結果に基づいて、前記表示の態様を異ならせる、放送番組記録再生装置の制御方法。
【請求項１３】
請求項１１または請求項１２に記載の放送番組記録再生装置の制御方法であって、
（ｇ）前記工程（ｅ）において生成される前記一覧画面において、前記工程（ｄ）において前記ユーザーに認知されていないと判定される前記最新番組にアイコンを付与する工程を備え、
前記工程（ｅ）において生成される前記一覧画面において、前記工程（ｇ）において付与される前記アイコンによって、前記表示の態様を異ならせる、放送番組記録再生装置の制御方法。
【請求項１４】
請求項１３に記載の放送番組記録再生装置の制御方法であって、
（ｈ）前記工程（ｇ）において前記アイコンを付与した後、前記アイコンが付与された前記最新番組が前記工程（ｄ）において前記ユーザーに認知されていると判定される場合には、当該アイコンを削除する工程を備える、放送番組記録再生装置の制御方法。
【請求項１５】
請求項１１から請求項１４のいずれか一項に記載の放送番組記録再生装置の制御方法であって、
（ｉ）前記ユーザーの操作を検出する工程を備え、
前記工程（ｄ）において、前記工程（ｉ）において検出される前記ユーザーの操作に基づいて、前記工程（ｃ）において選別された前記最新番組がユーザーに認知されているか否かを判定する、放送番組記録再生装置の制御方法。
【請求項１６】
請求項１１から請求項１５のいずれか一項に記載の放送番組記録再生装置の制御方法であって、
前記工程（ｄ）は、前記放送番組記録再生装置が前記表示装置に前記一覧画面を表示するタイミング、および前記放送番組記録再生装置が前記表示装置に前記一覧画面を表示しなくなるタイミングにおいて実行される、放送番組記録再生装置の制御方法。
【請求項１７】
請求項１１から請求項１６のいずれか一項に記載の放送番組記録再生装置の制御方法であって、
前記工程（ｄ）において、前記放送番組記録再生装置が前記表示装置に前記一覧画面を表示した後、当該一覧画面を表示しなくなった場合に、当該一覧画面に表示されていた前記最新番組が前記ユーザーに認知されたと判定する、放送番組記録再生装置の制御方法。
【請求項１８】
請求項１１から請求項１７のいずれか一項に記載の放送番組記録再生装置の制御方法であって、
（ｊ）前記工程（ｃ）において選別された前記最新番組を再生する工程を備え、
前記工程（ｄ）において、前記工程（ｊ）において再生された前記最新番組が前記ユーザーに認知されたと判定する、放送番組記録再生装置の制御方法。
【請求項１９】
請求項１１から請求項１８のいずれか一項に記載の放送番組記録再生装置の制御方法であって、
（ｋ）前記表示装置に表示される画面であって、前記一覧画面を起動するための一覧起動アイコンを表示する一覧起動画面を生成する工程と、
（ｌ）前記工程（ｄ）において前記ユーザーに認知されていないと判定される前記最新番組を計数する工程と、
（ｍ）前記工程（ｌ）において計数された前記最新番組の数を前記一覧起動画面に付与する工程と
を備える、放送番組記録再生装置の制御方法。
【請求項２０】
請求項１９に記載の放送番組記録再生装置の制御方法であって、
前記工程（ｍ）において付与される前記最新番組の数は、前記工程（ｋ）において生成される前記一覧起動画面の前記一覧起動アイコンに重畳される、放送番組記録再生装置の制御方法。
【発明の詳細な説明】
【技術分野】
【０００１】
本発明は、放送番組を受信し、記録・再生する放送番組記録装置、および放送番組記録再生装置の制御方法に関し、特に録画番組の管理手法に関するものである。
【背景技術】
【０００２】
昨今の、テレビ放送などの放送番組を受信し、記録・再生する放送番組記録再生装置は、記録媒体の大容量化がすすむことによって、手軽に大量の放送番組を長期間保存することができるようになってきている。また、電子番組表によってユーザーは簡単な操作で放送番組の録画あるいは予約録画ができるようになってきている。さらに、放送番組記録再生装置が、放送番組の情報を分析し、その分析結果とユーザーが好むキーワードとに基づき、自動的に放送番組を録画するなどの機能によって、放送番組のタイムシフト視聴のように一時バッファ的な使い方ができるようになってきた。
【０００３】
ユーザーにとっては、見たい番組および興味のある番組が、いつでも視聴できるようになり便利になった反面、長い間視聴しない録画番組または、録画しただけで全く視聴しない録画番組が放送番組記録再生装置に保存されたままとなることも多くなった。
【０００４】
さて、ユーザーが録画番組を視聴する際に表示される録画番組の一覧として、従来、録画番組のカテゴリーで分類されたもの、あるいは録画日時によりソーティングされたものなどがある。しかしながら、このような録画番組の一覧に表示される情報では、録画番組が、新しく録画されたものか否か、視聴済のものか否か、またはユーザー操作によって録画されたものか自動的に録画されたものか、などが総合的に整理されておらず、ユーザーが最近録画された最新の録画番組のみを選んで視聴するには、不便で使いづらいものであった。
【０００５】
また、ユーザーは、録画番組の一覧において、前回録画番組の一覧が表示されてから新たに録画された録画番組のみを即座に認知することが困難なため、最新の録画番組を即座に選択して視聴することは困難であった。
【０００６】
特許文献１には、放送番組の録画時に録画番組にインデックスを付けておき、ユーザーが、録画番組の視聴時に、画面に一覧表示されるインデックスを参照して所望の録画番組を探しやすくする録画視聴支援方法が開示されている。
【先行技術文献】
【特許文献】
【０００７】
【特許文献１】国際公開第００／０２３８６号
【発明の概要】
【発明が解決しようとする課題】
【０００８】
しかしながら、特許文献１に記載の録画視聴支援方法では、ユーザーは、新たに記録された録画番組である最新番組を容易に確認できない、また自身が認知していない最新番組を容易に識別できないという問題点があった。
【０００９】
そこで、本発明は、上記のような問題を解消するためになされたものであって、ユーザーが、新たに記録された最新番組を容易に確認でき、自身が認知していない最新番組を容易に識別できる手法を提供することを目的とする。
【課題を解決するための手段】
【００１０】
本発明に係る放送番組記録再生装置は、放送受信部、放送番組録画部、番組選別部、番組認知判定部、および一覧画面生成部を備える。放送受信部は放送番組を受信する。放送番組録画部は、放送受信部が受信する放送番組を記録するとともに、記録する放送番組に関する付加情報を生成し記録する。番組選別部は、放送番組録画部が記録する付加情報に基づいて、放送番組録画部が記録する放送番組から、任意の指定期間内に記録された最新番組を選別する。番組認知判定部は、番組選別部によって選別された最新番組がユーザーに認知されているか否かを判定する。一覧画面生成部は、表示装置に表示される画面であって、番組選別部によって選別された最新番組の一覧を表示する一覧画面を生成する。一覧画面生成部は、当該一覧画面において、番組認知判定部においてユーザーに認知されていると判定される最新番組と、番組認知判定部においてユーザーに認知されていないと判定される最新番組との表示の態様を異ならせる。
【００１１】
また、本発明に係る放送番組記録再生装置の制御方法は、（ａ）放送番組を受信する工程と、（ｂ）工程（ａ）において受信される放送番組を記録するとともに、記録する放送番組に関する付加情報を生成し記録する工程と、（ｃ）工程（ｂ）において記録される付加情報に基づいて、工程（ｂ）において記録される放送番組から、任意の指定期間内に記録された最新番組を選別する工程と、（ｄ）工程（ｃ）において選別された最新番組がユーザーに認知されているか否かを判定する工程と、（ｅ）表示装置に表示される画面であって、工程（ｃ）において選別された最新番組の一覧を表示する一覧画面を生成する工程とを備える。放送番組記録再生装置の制御方法は、工程（ｅ）において生成される一覧画面において、工程（ｄ）においてユーザーに認知されていると判定される最新番組と、工程（ｄ）においてユーザーに認知されていないと判定される最新番組との表示の態様を異ならせる。
【発明の効果】
【００１２】
本発明によれば、一覧画面は最新番組の一覧を表示することから、ユーザーは最新番組を容易に確認することができる。また、一覧画面において、ユーザーに認知されていると判定される最新番組と、ユーザーに認知されていないと判定される最新番組との表示の態様が異なることから、ユーザーは認知していない最新番組を容易に識別することができる。
【図面の簡単な説明】
【００１３】
【図１】本発明の実施の形態１に係る放送番組記録再生装置の構成を示すブロック図である。
【図２】本発明の実施の形態１に係る付加情報テーブルを示す図である。
【図３】本発明の実施の形態１に係る一覧起動画面を示す図である。
【図４】本発明の実施の形態１に係る最新番組の一覧画面を示す図である。
【図５】本発明の実施の形態１に係る放送番組記録再生装置が放送番組を録画する動作を示すフローチャートである。
【図６】本発明の実施の形態１に係る付加情報テーブルを示す図である。
【図７】本発明の実施の形態１に係る放送番組記録再生装置が一覧起動画面を生成する動作を示すフローチャートである。
【図８】本発明の実施の形態１に係る放送番組記録再生装置が最新番組の一覧画面を生成する動作を示すフローチャートである。
【図９】本発明の実施の形態１に係る付加情報テーブルを示す図である。
【図１０】本発明の実施の形態１に係る放送番組記録再生装置が録画番組を再生する動作を示すフローチャートである。
【図１１】本発明の実施の形態１に係る放送番組記録再生装置のハードウェア構成を示すブロック図である。
【発明を実施するための形態】
【００１４】
以下、本発明の実施形態について図面に基づいて説明する。
【００１５】
＜実施の形態１＞
＜放送番組記録再生装置の構成＞
図１は、本発明の実施の形態１に係る放送番組記録再生装置１００の構成の一例を概略的に示すブロック図である。図１に示されるように、放送番組記録再生装置１００は、放送受信部１０１、放送番組記録部１０２、放送番組録画部１０３、放送番組再生部１０４、付加情報記録部１０５、番組選別部１０６、一覧画面生成部１０７、番組認知判定部１０８、アイコン付与部１０９、一覧起動画面生成部１１０、番組計数部１１１、番組数付与部１１２、操作Ｉ／Ｆ１１３、操作検出部１１４、および制御部１１５を備える。
【００１６】
操作Ｉ／Ｆ１１３は、ユーザーが放送番組記録再生装置１００に対して操作を行うためのインターフェースとなる。操作Ｉ／Ｆ１１３は、例えば、放送番組記録再生装置１００に設けられる押しボタン、あるいは放送番組記録再生装置１００とは別体となるリモコン装置などである。操作検出部１１４は、ユーザーが操作Ｉ／Ｆ１１３を用いて放送番組記録再生装置１００に対して行う操作を検出する。制御部１１５は、操作検出部１１４が検出するユーザーの操作に基づいて、放送番組記録再生装置１００の各構成要素を制御する。
【００１７】
放送受信部１０１は、テレビ放送などの放送番組を受信する。放送番組録画部１０３は、放送受信部１０１が受信する放送番組を放送番組記録部１０２に記録する。以下、放送番組録画部１０３が放送番組を放送番組記録部１０２に記録することを「録画する」とも呼ぶ。また、放送番組記録部１０２に記録（録画）される放送番組を「録画番組」とも呼ぶ。また、放送番組録画部１０３は、放送番組記録部１０２に録画する録画番組に関する情報である付加情報、例えば、当該録画番組の番組名、放送局、および放送開始時刻などの付加情報を生成し、付加情報記録部１０５に記録する。放送番組再生部１０４は、放送番組記録部１０２に録画される録画番組を再生する。
【００１８】
番組選別部１０６は、放送番組録画部１０３が生成し付加情報記録部１０５に記録する付加情報に基づいて、放送番組録画部１０３が放送番組記録部１０２に録画する放送番組のうち、任意の指定期間内に録画された録画番組である最新番組を選別する。番組選別部１０６は、例えば、付加情報記録部１０５に記録される録画番組の放送開始時刻の付加情報に基づいて、最新番組を選別する。番組選別部１０６が最新番組を選別する際の指定期間は１週間でも１か月でも特に限定するものではなく、例えば、操作検出部１１４が検出するユーザーの操作に基づいて予め任意の期間に設定される。
【００１９】
番組認知判定部１０８は、番組選別部１０６によって選別される最新番組が、ユーザーに認知されているか否かを判定する。
【００２０】
一覧画面生成部１０７は、放送番組記録再生装置１００に接続される表示装置（図示せず）に表示される画面であって、番組選別部１０６によって選別された最新番組の一覧を表示する最新番組の一覧画面を生成する。アイコン付与部１０９は、一覧画面生成部１０７が生成する、最新番組の一覧画面において、番組認知判定部１０８において、ユーザーに認知されていないと判定される最新番組である未認知番組に、当該未認知番組がユーザーに認知されていないことを示す未認知アイコンを付与する。
【００２１】
一覧起動画面生成部１１０は、表示装置に表示される画面であって、ユーザーが最新番組の一覧画面を起動する操作を行うための一覧起動アイコンを含む、一覧起動画面を生成する。番組計数部１１１は、番組選別部１０６によって選別される最新番組のうち、未認知番組を計数する。番組数付与部１１２は、番組計数部１１１によって計数される未認知番組の数を、一覧起動画面生成部１１０が生成する一覧起動アイコンに付与する。
【００２２】
＜付加情報テーブル＞
前述したように、付加情報記録部１０５には、放送番組録画部１０３が生成する、録画番組の番組名、放送局、および放送開始時刻などの付加情報が記録される。付加情報は、付加情報を記録するためのテーブルである付加情報テーブルとして付加情報記録部１０５に記録される。
【００２３】
図２は、本発明の実施の形態１に係る付加情報テーブル２００の一例を概略的に示す図である。図２に示される付加情報テーブル２００は、付加情報がまだ記録されていない初期状態の付加情報テーブル２００である。
【００２４】
図２に示されるように、付加情報テーブル２００は、録画番組フィールド２１１，２１２，２１３，２１４を有する。録画番組フィールド２１１〜２１４の各々は、付加情報テーブル２００の行方向のフィールドである。録画番組フィールド２１１〜２１４は、それぞれ、「録画番組１」〜「録画番組４」の付加情報を記録するためのフィールドである。以下においては、録画番組フィールド２１１〜２１４の各々を、総括的に、「録画番組フィールド２１０」とも呼ぶ。
【００２５】
図２の例では、付加情報テーブル２００は、４つのユーザーフィールドを有している。つまり、付加情報テーブル２００を記録する付加情報記録部１０５を有する放送番組記録再生装置１００は、４つの録画番組フィールド２１０を有している。
【００２６】
なお、付加情報テーブル２００が有する録画番組フィールド２１０の数は、４つに限定されない。付加情報テーブル２００が有する録画番組フィールドの数は、２、３または５つ以上であってもよい。
【００２７】
各録画番組フィールドは、フィールド２０１，２０２，２０３，２０４，２０５，２０６を有する。フィールド２０１〜２０６の各々は、録画番組の付加情報を記録するためのフィールドである。
【００２８】
フィールド２０１は、フィールド２０１に対応する録画番組フィールド２１０が使用中であるか否かの状態を記録するためのフィールドである。フィールド２０１が「未使用」状態に設定される場合、フィールド２０１に対応する録画番組フィールド２１０が使用されていないことが示される。フィールド２０１が「使用中」状態に設定される場合、フィールド２０１に対応する録画番組フィールド２１０が使用されていることが示される。なお、初期状態の付加情報テーブル２００における全ての録画番組フィールド２１０のフィールド２０１は「未使用」状態に設定されている。
【００２９】
フィールド２０２は、録画番組の番組名を記録するためのフィールドである。フィールド２０３は、録画番組の放送局名を記録するためのフィールドである。フィールド２０４は、録画番組の放送開始時間を記録するためのフィールドである。フィールド２０５は、録画番組の放送時間（つまり録画番組の長さ）を記録するためのフィールドである。
【００３０】
フィールド２０６は、番組認知判定部１０８における、録画番組がユーザーに認知されているか否かの判定結果を記録するためのフィールドである。フィールド２０６の状態が「未認知」である場合、フィールド２０６に対応する録画番組がユーザーに認知されていない未認知番組であると判定されていることが示される。フィールド２０６の状態が「認知」である場合、フィールド２０６に対応する録画番組がユーザーに認知されている認知番組であると判定されていることが示される。
【００３１】
以下、フィールド２０１〜２０６を、それぞれ、「状態フィールド２０１」、「番組名フィールド２０２」、「放送局名フィールド２０３」、「放送開始時間フィールド２０４」、「放送時間フィールド２０５」、および「ユーザー認知フィールド２０６」とも呼ぶ。
【００３２】
なお、図２に示されるように、初期状態の付加情報テーブル２００における全ての録画番組フィールド２１０のフィールド２０１〜２０６には、未使用であることを示す「−」が設定されている。
【００３３】
＜一覧起動画面＞
次に、一覧起動画面について図３を用いて説明する。図３は、本発明の実施の形態１に係る一覧起動画面生成部１１０が生成する一覧起動画面３０１の一例を概略的に示す図である。一覧起動画面３０１は、放送番組記録再生装置１００に接続される表示装置に表示される。
【００３４】
図３に示されるように、一覧起動画面３０１は、一覧起動アイコン３０２，３０３と、番組数バッジ３０４を有する。ユーザーは、一覧起動画面３０１上で、一覧起動アイコン３０２と、一覧起動アイコン３０３とを選択操作することができる。
【００３５】
操作検出部１１４が一覧起動画面３０１上での一覧起動アイコン３０２の選択操作を検出すると、一覧画面生成部１０７は、全ての録画番組の一覧を表示する全録画番組の一覧画面を生成し、当該一覧画面が表示装置に表示される。一方、操作検出部１１４が一覧起動画面３０１上での一覧起動アイコン３０３の選択操作を検出すると、一覧画面生成部１０７は、最新番組の一覧を表示する最新番組の一覧画面を生成し、当該一覧画面が表示装置に表示される。
【００３６】
番組数バッジ３０４は、番組計数部１１１によって計数される未認知番組の数を示しており、番組数付与部１１２によって一覧起動アイコン３０３に付与される。図３の例では、番組数バッジ３０４は一覧起動アイコン３０３に重畳されて表示されており、未認知番組の数が２つであることを示している。
【００３７】
＜最新番組の一覧画面＞
次に、最新番組の一覧画面について図４を用いて説明する。図４は、本発明の実施の形態１に係る一覧画面生成部１０７が生成する最新番組の一覧画面４０１の一例を概略的に示す図である。図４に示されるように、最新番組の一覧画面４０１は、最新番組の一覧４０２、番組数バッジ４０３、未認知アイコン４０４を含む。
【００３８】
最新番組の一覧４０２には、放送番組記録部１０２に録画される録画番組のうち、番組選別部１０６において任意の指定期間内に録画されていると選別された最新番組が一覧化されて表示される。最新番組の一覧４０２には、例えば、付加情報記録部１０５に記録される録画番組の番組名が一覧化されて表示される。図４の例では、最新番組の一覧４０２には５つの最新番組の番組名が表示されている。
【００３９】
番組数バッジ４０３は、番組計数部１１１によって計数される未認知番組の数を示しており、番組数付与部１１２によって最新番組の一覧４０２に付与される。図４の例では、番組数バッジ４０３は、未認知番組の数が２つであることを示している。
【００４０】
未認知アイコン４０４は、最新番組の一覧４０２の未認知番組がユーザーに認知されていないことを示しており、アイコン付与部１０９によって最新番組の一覧４０２の未認知番組に付与される。図４の例では、最新番組の一覧４０２において、２つの未認知アイコン４０４が、それぞれ、２つの未認知番組の番組名の横に表示されている。
【００４１】
＜放送番組記録再生装置の動作＞
次に、放送番組記録再生装置１００の動作について説明する。まず、放送番組記録再生装置１００が放送番組を録画する際の動作について図５を用いて説明する。
【００４２】
＜放送番組録画の動作＞
図５は、本発明の実施の形態１に係る放送番組記録再生装置１００が放送番組を録画する動作の一例を示すフローチャートである。
【００４３】
ユーザーが放送番組記録再生装置１００に対して行う放送番組の録画を開始するための操作を操作検出部１１４が検出すると、またはユーザーが放送番組記録再生装置１００に対して行う放送番組の録画予約の操作を操作検出部１１４が事前に検出しており、放送番組の開始時間になると、放送番組記録再生装置１００は放送番組の録画を開始する（ステップＳ５０１）。
【００４４】
放送番組の録画が開始されると、放送受信部１０１は放送番組の受信を開始し、受信した放送番組を放送番組録画部１０３に送る（ステップＳ５０２）。放送番組録画部１０３は、放送受信部１０１から送られる放送番組の放送番組記録部１０２への記録を開始するとともに（ステップＳ５０３）、放送番組記録部１０２に記録する録画番組の番組名、放送局、および放送開始時刻などの付加情報を生成して、付加情報記録部１０５に記録する（ステップＳ５０４）。この際、付加情報記録部１０５に記録される付加情報テーブル２００のユーザー認知フィールド２０６は「未認知」に設定される（ステップＳ５０５）。
【００４５】
図６は、本発明の実施の形態１に係る付加情報テーブル２００の一例を概略的に示す図である。図６は、放送番組録画部１０３が放送番組を録画した際の付加情報テーブル２００を示している。図６に示されるように、録画番組フィールド２１１において、状態フィールド２０１は「使用」状態に設定され、フィールド２０２〜２０５には、録画番組の付加情報がそれぞれ記録され、ユーザー認知フィールド２０６は「未認知」状態に設定されている。
【００４６】
図５にもどり、ユーザーが放送番組記録再生装置１００に対して行う放送番組の録画を停止する操作を操作検出部１１４が検出すると、または放送番組が終了すると（ステップＳ５０６）、放送番組記録再生装置１００は放送番組の録画を終了する（ステップＳ５０７）。
【００４７】
＜一覧起動画面生成の動作＞
次に、放送番組記録再生装置１００における一覧起動画面３０１を生成する動作について図７を用いて説明する。図７は、本発明の実施の形態１に係る放送番組記録再生装置１００が一覧起動画面３０１を生成する動作の一例を示すフローチャートである。
【００４８】
図７に示されるように、ユーザーが放送番組記録再生装置１００に対して行う一覧起動画面を表示するための操作を操作検出部１１４が検出すると、一覧起動画面生成部１１０は、一覧起動アイコン３０２，３０３を含む一覧起動画面３０１を生成し、表示装置において一覧起動画面３０１の表示が開始される（ステップＳ６０１）。
【００４９】
番組計数部１１１は、番組選別部１０６によって選別される最新番組のうち、未認知番組を計数する（ステップＳ６０２）。番組数付与部１１２は、番組計数部１１１によって計数された未認知番組の数を確認し（ステップＳ６０３）、未認知番組がある場合には最新番組の一覧起動アイコン３０３に未認知番組数を示す番組数バッジ３０４を付与する（ステップＳ６０４）。
【００５０】
ユーザーが放送番組記録再生装置１００に対して行う一覧起動画面３０１の表示を終了する操作を操作検出部１１４が検出すると、具体的には、全録画番組の一覧起動アイコン３０２、もしくは最新番組の一覧起動アイコン３０３の選択操作、または一覧起動画面３０１を閉じる操作を操作検出部１１４が検出すると（ステップＳ６０５）、一覧起動画面生成部１１０は、一覧起動アイコン３０２，３０３および番組数バッジ３０４を含む一覧起動画面３０１を破棄して、表示装置において一覧起動画面３０１の表示が終了される（ステップＳ６０６）。
【００５１】
＜最新番組の一覧画面生成の動作）
次に、放送番組記録再生装置１００における最新番組の一覧画面４０１を生成する動作について図８を用いて説明する。図８は、本発明の実施の形態１に係る放送番組記録再生装置１００が最新番組の一覧画面４０１を生成する動作の一例を示すフローチャートである。
【００５２】
表示装置に表示される一覧起動画面３０１において、ユーザーが最新番組の一覧起動アイコン３０３を選択する操作を操作検出部１１４が検出すると、一覧画面生成部１０７は、最新番組の一覧画面４０１を生成して、表示装置において最新番組の一覧画面４０１の表示が開始される（ステップＳ７０１）。
【００５３】
番組選別部１０６は、付加情報記録部１０５に記録される付加情報に基づいて、放送番組記録部１０２に記録される放送番組から最新番組を選別する（ステップＳ７０２）。一覧画面生成部１０７は、番組選別部１０６によって選別された最新番組を確認し（ステップＳ７０３）、最新番組がある場合には最新番組で構成された最新番組の一覧４０２を最新番組の一覧画面４０１に付与する（ステップＳ７０４）。
【００５４】
番組計数部１１１は、付加情報記録部１０５に記録されているユーザー認知フィールド２０６の情報に基づいて、未認知番組を計数する（ステップＳ７０５）。番組数付与部１１２は、番組計数部１１１によって計数される未認知番組の数を確認し（ステップＳ７０６）、未認知番組がある場合には最新番組の一覧画面４０１に未認知番組の数を示す番組数バッジ４０３を付与する（ステップＳ７０７）。アイコン付与部１０９は、最新番組の一覧４０２上に１つ以上表示される最新番組のそれぞれに対して、番組認知判定部１０８において判定された未認知番組に未認知アイコン４０４を付与する（ステップＳ７０８）。
【００５５】
放送番組記録再生装置１００が表示装置に最新番組の一覧画面４０１を表示している状態で、操作検出部１１４が放送番組記録再生装置１００に対するユーザーの操作を検出した場合には（ステップＳ７０９）、番組認知判定部１０８は、最新番組の一覧画面４０１がユーザーに視聴されたとして、最新番組の一覧画面４０１に表示されている最新番組がユーザーに認知されたと判定する（ステップＳ７１０）。
【００５６】
例えば、番組認知判定部１０８は、操作検出部１１４が最新番組の一覧画面４０１でユーザーの一定時間以上の連続的または断続的な操作を検出した場合、最新番組の一覧画面４０１に表示されている最新番組がユーザーに認知されたと判定する。
【００５７】
なお、番組認知判定部１０８が、最新番組がユーザーに認知されているか否かを判定する方法は、最新番組の一覧画面４０１がネットワーク経由で接続される表示装置に表示されており、ユーザーがネットワーク経由で放送番組記録再生装置１００を操作し、ネットワーク経由で録画番組を視聴する場合であっても同様である。
【００５８】
操作検出部１１４が放送番組記録再生装置１００に対してユーザーが行う最新番組の一覧画面４０１を閉じる操作を検出した場合（ステップＳ７１１）、番組認知判定部１０８は、ステップＳ７１０においてユーザーに認知されたと判定された最新番組に対応する録画番組フィールド２１０のユーザー認知フィールド２０６を「認知」状態に設定する（ステップＳ７１２）。
【００５９】
図９は、本発明の実施の形態１に係る付加情報テーブル２００の一例を概略的に示す図である。図９は、番組認知判定部１０８がユーザー認知フィールド２０６を「認知」状態に設定した際の付加情報テーブル２００を示している。図９に示されるように、録画番組フィールド２１１において、ユーザー認知フィールド２０６は「認知」状態に設定されている。
【００６０】
図８にもどり、一覧画面生成部１０７は、最新番組の一覧４０２、番組数バッジ４０３、未認知アイコン４０４を含む最新番組の一覧画面４０１を破棄して、表示装置において最新番組の一覧画面４０１の表示が終了される（ステップＳ７１３）。
【００６１】
なお、図８の例では、操作検出部１１４が放送番組記録再生装置１００に対してユーザーが行う最新番組の一覧画面４０１を閉じる操作を検出してから、番組認知判定部１０８がユーザー認知フィールド２０６を「認知」状態に設定しているが、番組認知判定部１０８は、最新番組がユーザーに認知されたと判定したときに、ユーザー認知フィールド２０６を「認知」状態に設定し、一覧画面生成部１０７は、その設定結果に基づいて最新番組の一覧画面４０１を更新してもよい。これにより、最新番組の一覧画面４０１に表示されている番組数バッジ４０３が更新され、既に未認知番組でなくなった最新番組に対する未認知アイコン４０４が削除される。
【００６２】
また、本実施の形態では、最新番組の一覧画面４０１に表示される未認知アイコン４０４によって、ユーザーが未認知番組を識別しやすいようにしているが、最新番組の一覧画面４０１において、番組認知判定部１０８においてユーザーに認知されていると判定される最新番組と、番組認知判定部１０８においてユーザーに認知されていないと判定される最新番組とで表示の大きさを異ならせるなど、表示の態様を異ならせることによって、ユーザーが未認知番組を識別しやすいようにしてもよい。
【００６３】
＜録画番組再生の動作＞
次に、放送番組記録再生装置１００が録画番組を再生する動作について図１０を用いて説明する。図１０は、本発明の実施の形態１に係る放送番組記録再生装置１００が録画番組を再生する動作の一例を示すフローチャートである。
【００６４】
放送番組記録再生装置１００が表示装置に最新番組の一覧画面４０１を表示している状態で、操作検出部１１４が放送番組記録再生装置１００に対してユーザーが行う最新番組の一覧画面４０１に表示されている最新番組を再生する操作を検出すると、放送番組再生部１０４は、放送番組記録部１０２に録画された録画番組の再生を開始する（ステップＳ８０１）。番組認知判定部１０８は、放送番組再生部１０４が再生した最新番組がユーザーに認知されたと判定し、当該最新番組に対応する録画番組フィールド２１０のユーザー認知フィールド２０６を「認知」状態に設定する。（ステップＳ８０２）。
【００６５】
操作検出部１１４が放送番組記録再生装置１００に対してユーザーが行う録画番組の再生を停止する操作を検出すると、または録画番組が終了した場合（ステップＳ８０３）、放送番組再生部１０４は録画番組の再生を終了する（ステップＳ８０４）。
【００６６】
＜放送番組記録再生装置のハードウェア構成＞
以下では、放送番組記録再生装置１００のハードウェア構成について説明する。図１１は、放送番組記録再生装置１００のハードウェア構成の一例を示すブロック図である。図１１に示される放送番組記録再生装置１００のハードウェア構成は、図１に示される放送番組記録再生装置１００の構成に対応している。図１１に示されるように、放送番組記録再生装置１００は、操作Ｉ／Ｆ１１３、処理回路１０、およびメモリ１１を備える。また、これらの各構成要素は、バス１２で相互に接続されている。
【００６７】
メモリ１１は、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等である。図１に示される、放送番組記録部１０２および付加情報記録部１０５は、メモリ１１により実現される。
【００６８】
放送受信部１０１、放送番組録画部１０３、放送番組再生部１０４、番組選別部１０６、一覧画面生成部１０７、番組認知判定部１０８、アイコン付与部１０９、一覧起動画面生成部１１０、番組計数部１１１、番組数付与部１１２、操作検出部１１４、および制御部１１５の各機能は、処理回路１０により実現される。
【００６９】
処理回路１０は、専用のハードウェアであってもよいし、メモリ１１に格納されるプログラムを実行するＣＰＵ（Central Processing Unit、中央処理装置、処理装置、演算装置、マイクロプロセッサ、マイクロコンピュータ、プロセッサ、ＤＳＰともいう）であってもよい。
【００７０】
処理回路１０が専用のハードウェアである場合、処理回路１０は、例えば、単一回路、複合回路、プログラム化したプロセッサ、並列プログラム化したプロセッサ、ＡＳＩＣ、ＦＰＧＡ、またはこれらを組み合わせたものが該当する。放送受信部１０１、放送番組録画部１０３、放送番組再生部１０４、番組選別部１０６、一覧画面生成部１０７、番組認知判定部１０８、アイコン付与部１０９、一覧起動画面生成部１１０、番組計数部１１１、番組数付与部１１２、操作検出部１１４、および制御部１１５の各機能は個別に設けた処理回路で実現してもよいし、各部の機能をまとめて１つの処理回路１０で実現してもよい。
【００７１】
処理回路１０がＣＰＵの場合、放送受信部１０１、放送番組録画部１０３、放送番組再生部１０４、番組選別部１０６、一覧画面生成部１０７、番組認知判定部１０８、アイコン付与部１０９、一覧起動画面生成部１１０、番組計数部１１１、番組数付与部１１２、操作検出部１１４、および制御部１１５の各機能は、ソフトウェア、ファームウェア、またはソフトウェアとファームウェアとの組み合わせにより実現される。ソフトウェアやファームウェアはプログラムとして記述され、メモリ１１に格納される。
【００７２】
処理回路１０は、メモリ１１に記憶されたプログラムを読み出して実行することにより、各部の機能を実現する。また、これらのプログラムは、放送受信部１０１、放送番組録画部１０３、放送番組再生部１０４、番組選別部１０６、一覧画面生成部１０７、番組認知判定部１０８、アイコン付与部１０９、一覧起動画面生成部１１０、番組計数部１１１、番組数付与部１１２、操作検出部１１４、および制御部１１５の手順や方法をコンピュータに実行させるものであるともいえる。
【００７３】
なお、放送受信部１０１、放送番組録画部１０３、放送番組再生部１０４、番組選別部１０６、一覧画面生成部１０７、番組認知判定部１０８、アイコン付与部１０９、一覧起動画面生成部１１０、番組計数部１１１、番組数付与部１１２、操作検出部１１４、および制御部１１５の各機能について、一部を専用のハードウェアで実現し、一部をソフトウェアまたはファームウェアで実現するようにしてもよい。このように、処理回路１０は、ハードウェア、ソフトウェア、ファームウェア、またはこれらの組み合わせによって、上述の各機能を実現することができる。
【００７４】
以上のように、本実施の形態に係る放送番組記録再生装置１００では、最新番組の一覧画面４０１は、指定期間内に録画された最新番組のみを表示することから、従来のように録画された番組が全て表示される全録画番組の一覧画面に比べ、ユーザーは最新番組のみを容易に確認できる。特に、ユーザーは、予約録画が所望通り録画されたことを確認する場合に、非常に簡単に確認可能である。
【００７５】
また、最新番組の一覧画面４０１において、ユーザーに認知されていると判定される最新番組と、ユーザーに認知されていないと判定される最新番組である未認知番組との表示の態様が異なることから、ユーザーは最新番組の一覧画面４０１に表示される最新番組のうち初めて提示されるような未認知番組を簡単に識別することができる。
【００７６】
また、番組認知判定部１０８は、操作検出部１１４が検出するユーザーの操作（例えば、最新番組の一覧画面４０１での一定時間以上の操作、あるいは最新番組の一覧画面４０１に表示される最新番組を再生する操作など）に基づいて、最新番組がユーザーに認知されているか否かを判定するため、ユーザーへの負荷は発生しない。また、番組認知判定部１０８は、最新番組の一覧画面４０１の生成/破棄のタイミングで最新番組がユーザーに認知されているか否かを判定するため、ユーザーへの負荷は発生しない。
【００７７】
また、ユーザー認知フィールド２０６は、放送番組記録再生装置１００で通常使用されている付加情報テーブルに対してフィールドを追加するという簡単な構成によって実現可能なため、放送番組記録再生装置１００の開発負荷を低減することができる。
【００７８】
また、最新番組の一覧画面４０１において、既に未認知番組でなくなった最新番組に対する未認知アイコン４０４が削除されるので、既に認知された最新番組へのユーザーの注意を減らし、未認知番組を相対的に目立たたせて表示することが可能となる。
【００７９】
また、一覧起動画面３０１に表示される最新番組の一覧起動アイコン３０３に番組数バッジ３０４が表示されることから、ユーザーは、最新番組の一覧画面４０１を開かずとも、未認知番組があるか否かを一目で確認することができる。
【００８０】
なお、本発明は、その発明の範囲において、実施の形態を適宜、変形、省略することが可能である。
【符号の説明】
【００８１】
１０  処理回路、１１  メモリ、１２  バス、１００  放送番組記録再生装置、１０１  放送受信部、１０２  放送番組記録部、１０３  放送番組録画部、１０４  放送番組再生部、１０５  付加情報記録部、１０６  番組選別部、１０７  一覧画面生成部、１０８  番組認知判定部、１０９  アイコン付与部、１１０  一覧起動画面生成部、１１１  番組計数部、１１２  番組数付与部、１１３  操作Ｉ／Ｆ、１１４  操作検出部、１１５  制御部、２００  付加情報テーブル、２０１〜２０６  フィールド、２１１〜２１４  録画番組フィールド、３０１  一覧起動画面、３０２，３０３  一覧起動アイコン、３０４，４０３  番組数バッジ、４０１  一覧画面、４０２  一覧、４０４  未認知アイコン。
【図１】
2018191200.tif 000003
【図２】
2018191200.tif 000004
【図３】
2018191200.tif 000005
【図４】
2018191200.tif 000006
【図５】
2018191200.tif 000007
【図６】
2018191200.tif 000008
【図７】
2018191200.tif 000009
【図８】
2018191200.tif 000010
【図９】
2018191200.tif 000011
【図１０】
2018191200.tif 000012
【図１１】
2018191200.tif 000013